(57)【要約】  【課題】簡単な機構で雨漏りを防止できる経済性に優れた地下鉄などの地下施設用天井構造を提供する。  【解決手段】下地材６がコンクリート天壁２の下方に水平に配置され、吊持体４により前記コンクリート天壁２に吊持される。天井板は複数の金属製のパネル１０から成り、各パネル１０の一方の側部に取付部１０ｋと差込受け部１０ｇ，１０ｎが形成され他方の側部に差込部１０ｊが形成される。各パネル１０の取付部１０ｋが下地材６の下面に固定され、各パネル１０の差込受け部１０ｇに隣接するパネル１０の差込部１０ｊが差し込まれる。各パネル１０の取付部１０ｋの下方には隣接するパネル１０の主平板部１０ａが位置する。【選択図】  図１
2008274702.tif 000002
【特許請求の範囲】
【請求項１】
地下施設のコンクリート天壁２の下方に防水及び内装仕上げ面を形成するようにした地下施設用天井構造であって、前記コンクリート天壁２の下方に水平に配置され、吊持体４により前記コンクリート天壁２に吊持された下地材６と、複数の金属製のパネル１０から成り、各パネル１０の一方の側部に取付部１０ｋと差込受け部１０ｇ，１０ｎが形成され他方の側部に差込部１０ｊが形成され各パネル１０の取付部１０ｋが前記下地材６の下面に固定用軸体によって固定され、各パネル１０の差込受け部１０ｇ，１０ｎに隣接するパネル１０の差込部１０ｊが差し込まれ、前記各パネル１０の前記取付部１０ｋの下方に、隣接するパネル１０の主平板部１０ａが位置するように各パネル１０が連結して前記下地材６に取り付けられた天井板８とを備えたことを特徴とする地下施設用天井構造。
【請求項２】
前記下地材６が鉄骨材により構成されていることを特徴とする請求項１に記載の地下施設用天井構造。
【請求項３】
前記差込受け部１０ｇは、前記主平板部１０ａの一側部に直角方向に立ち上がり部１０ｂを形成し、該立ち上がり部１０ｂの上部に外側に該立ち上がり部１０ｂに対して直角方向に屈折した上位水平部１０ｃを設け、該上位水平部１０ｃの側端部に垂下部１０ｄと該垂下部１０ｄの下端に前記立ち上がり部１０ｂとの間に差込口１０ｅを有して屈折形成した下位水平部１０ｆとで構成し、前記差込部１０ｊを前記主平板部１０ａの他側部に直角に立ち上がり部１０ｈを形成し、該立ち上がり部１０ｈの上部に下向きに傾斜部１０ｉを設けて構成したことを特徴とする請求項１に記載の地下施設用天井構造。
【請求項４】
前記差込受け部１０ｎは、前記主平板部１０ａの一側部に直角方向に立ち上がり部１０ｍを形成し、該立ち上がり部１０ｍの上部に外側に横Ｕ字状の凹部を形成して構成し、前記差込部１０ｊを前記主平板部１０ａの他側部に直角に立ち上がり部１０ｒを形成し、該立ち上がり部１０ｒの上部に外側に直角方向に屈折部を設けて構成したことを特徴とする請求項１に記載の地下施設用天井構造。
【請求項５】
前記取付部１０ｋの下面の、前記差込受け部１０ｎとの境界側に水切り用の突起１４を設け、該突起１４が隣接するパネル１０の主平板部１０ａの上方に位置するようにしたことを特徴とする請求項１に記載の地下施設用天井構造。
【発明の詳細な説明】
【技術分野】
【０００１】
本発明は、地下鉄の駅構内や地下道などの地下施設用の天井構造に関する。
【背景技術】
【０００２】
地下鉄の駅構内や地下道などの地下施設の天井構造はコンクリートの天壁にボルト等を用いて下地材を取り付け、この下地材にビスなどの固定用軸体によって天井仕上げ材を固定した構成が一般的である。また、一般の屋根構造において、アングルなどの下地材の下方に屋根材を取り付ける工法が知られている（例えば特許文献１，２参照）。
【特許文献１】特開平９−１２５６１４号公報
【特許文献２】特開平８−２８４３２９号公報
【発明の開示】
【発明が解決しようとする課題】
【０００３】
地下鉄の駅構内や地下道のコンクリート天壁の下方に天井仕上げ材を配置する場合、防水が主たる目的ではないめ、シンプルな形状で且つ取り付けが容易な化粧用金属板を用い、この金属板を鉄骨などの下地材にビス止めしている。しかるに、コンクリート天壁から雨水が漏れることがあり、この場合、金属板のビス止め部の隙間から雨水が下方に漏れてしまうことになる。コンクリート天壁下方の天井仕上げ材を完全な屋根工法によって構築し、雨漏りを防止することは可能であるが、この場合、金属板を下地材に単純にビスなどの固定用軸体で固定する工法に比し、コスト高となるという問題点がある。
本発明は、上記問題点を解決することを目的とするものである。
【課題を解決するための手段】
【０００４】
上記目的を達成するため本発明は、地下施設のコンクリート天壁２の下方に防水及び内装仕上げ面を形成するようにした地下施設用天井構造であって、前記コンクリート天壁２の下方に水平に配置され、吊持体４により前記コンクリート天壁２に吊持された下地材６と、複数の金属製のパネル１０から成り、各パネル１０の一方の側部に取付部１０ｋと差込受け部１０ｇ，１０ｎが形成され他方の側部に差込部１０ｊが形成され各パネル１０の取付部１０ｋが前記下地材６の下面に固定用軸体によって固定され、各パネル１０の差込受け部１０ｇ，１０ｎに隣接するパネル１０の差込部１０ｊが差し込まれ、前記各パネル１０の前記取付部１０ｋの下方に、隣接するパネル１０の主平板部１０ａが位置するように各パネル１０が連結して前記下地材６に取り付けられた天井板８とを備えたことを特徴とする。
また本発明は、前記下地材６が鉄骨材により構成されていることを特徴とする。
また本発明は、前記差込受け部１０ｇは、前記主平板部１０ａの一側部に直角方向に立ち上がり部１０ｂを形成し、該立ち上がり部１０ｂの上部に外側に該立ち上がり部１０ｂに対して直角方向に屈折した上位水平部１０ｃを設け、該上位水平部１０ｃの側端部に垂下部１０ｄと該垂下部１０ｄの下端に前記立ち上がり部１０ｂとの間に差込口１０ｅを有して屈折形成した下位水平部１０ｆとで構成し、前記差込部１０ｊを前記主平板部１０ａの他側部に直角に立ち上がり部１０ｈを形成し、該立ち上がり部１０ｈの上部に下向きに傾斜部１０ｉを設けて構成したことを特徴とする。
また本発明は、前記差込受け部１０ｎは、前記主平板部１０ａの一側部に直角方向に立ち上がり部１０ｍを形成し、該立ち上がり部１０ｍの上部に外側に横Ｕ字状の凹部を形成して構成し、前記差込部１０ｊを前記主平板部１０ａの他側部に直角に立ち上がり部１０ｒを形成し、該立ち上がり部１０ｒの上部に外側に直角方向に屈折部を設けて構成したことを特徴とする。
また本発明は、前記取付部１０ｋの下面の、前記差込受け部１０ｎとの境界側に水切り用の突起１４を設け、該突起１４が隣接するパネル１０の主平板部１０ａの上方に位置するようにしたことを特徴とするものである。
【発明の効果】
【０００５】
本発明は、金属板を下地材に、固定用の軸体で単に固定するだけで地下施設のコンクリート天壁の下方に防水天井仕上げ面を安価に構築できしかも地下施設の天井からの雨漏りを防止することができる。
【発明を実施するための最良の形態】
【０００６】
以下に、本発明の実施の形態を添付した図面を参照して詳細に説明する。
図１は本発明に係る、地下鉄の駅構内や地下道などの地下施設用天井構造を示し、駅構内や地下道などに構築されているコンクリート天壁２にインサートボルトからなる吊持体４によってＬ型鋼などのアングル材などの鉄骨材から成る第１の下地材６が水平に吊持されている。
【０００７】
この下地材６の下位水平部６ａの下面に天井板８が固設されている。天井板８は、図１中、紙面垂直方向に長く伸びる複数の金属板から成る防水パネル１０が互いに並列方向に接合されるとともに各防水パネル１０が前記下地材６にビス１２止めされて下地材６の下方に仕上げ防水遮蔽面を形成している。
【０００８】
各防水パネル１０の主平板部１０ａの一側部には直角方向に立ち上がり部１０ｂが形成され、該立ち上がり部１０ｂの上部に外側に該立ち上がり部１０ｂに対して直角方向に屈折した上位水平部１０ｃが設けられている。
【０００９】
該上位水平部１０ｃの側端部に二重構造の垂下部１０ｄと該垂下部１０ｄの下端に、前記立ち上がり部１０ｂとの間に差し込み用の差し込み口１０ｅを有して、下位水平部１０ｆが屈折形成され、これら上位水平部１０ｃ，垂下部１０ｄ，下位水平部１０ｆとで差し込み受け部１０ｇを構成している。
【００１０】
各防水パネル１０の主平板部１０ａの他側部には直角方向に立ち上がり部１０ｈが屈折形成され、該立ち上がり部１０ｈの上部には、内側に、下向きに略４５度傾斜した傾斜部１０ｉが形成され、該立ち上がり部１０ｈと傾斜部１０ｉとで差し込み部１０ｊを構成している。
【００１１】
前記上位水平部１０ｃの外方延長線上には、図１中、左右方向に所定幅を有するビス止め用の取付部１０ｋが形成されている。前記垂下部１０ｄの垂直方向の長さは、前記立ち上がり部１０ｈの高さと略同一に設定されている。
【００１２】
次に各防水パネル１０を、図１中、右から左に順次結合して、下地材６の下方に防水仕上げ遮蔽面を形成する防水パネル取り付け工法について説明する。
【００１３】
まず、下地材６の下方の左側の所定位置に、紙面垂直方向に長く伸びる長尺状の防水パネル１０を配置し、上位水平部１０ｃ及び取付部１０ｋを下地材６の下面に当接するとともに、取付部１０ｋをビス１２で下地材６の下部水平部６ａの下面に固定する。
【００１４】
次に、他の防水パネル１０の差し込み部１０ｊを、下地材６に固定した防水パネル１０の差し込み受け部１０ｇに挿入して傾斜部１０ｉを下位水平部１０ｆに引っ掛け、当該他の防水パネル１０の取付部１０ｋを、下地材６の下部水平部６ａの下面にビス１２で固定する。この要領で右から左に防水パネル１０を順次接合してゆく。
【００１５】
前記差し込み部１０ｊを差し込み受け部１０ｇに挿入すると、傾斜部１０ｉの先端が差し込み部１０ｇの下位水平部１０ｆの上面に弾接し、立ち上がり部１０ｈの上端が上位水平部１０ｃの下面に弾接する。該状態において、互いに接合する防水パネル１０の主平板部１０ａは、略同一平面上に配置されるように設定されている。
【００１６】
前記天井板８の、下地材６の左右両端部及び図１中、紙面垂直方向の両端部部は、適宜な納め手段により、防水・排水加工が施工されている。
上記した構成において、各防水パネル１０のビス止め部即ち固定用軸体による固定部の下方には、隣接する防水パネル１０の主平板部１０ａが位置する。
【００１７】
これにより、コンクリート天壁２から滲み出た雨水が下地材６の上に落ち、この雨水が防水パネル１０の取付部１０ｋのビス止め部の隙間から下方に落下しても、この落下した雨水は、防水パネル１０の主平板部１０ａに落ちるため、天井から雨漏りが発生することはない。
【００１８】
次に本発明の他の実施形態を図２を参照して説明する。
各防水パネル１０の一側部には立ち上がり部１０ｍが、主平板部１０ａに対して直角方向に形成され、該立ち上がり部１０ｍに横Ｕ字状の凹入部が形成され、前記凹入部が差し込み部１０ｎを構成している。
【００１９】
前記差し込み部１０ｎの上部壁の延長線上には、上位水平部１０ｐが形成され、該上位水平部１０ｐに水切り用の突起１４と取付部１０ｋが一体的に形成されている。各防水パネル１０の他側部には、主平板部１０ａに対して直角に立ち上がり部１０ｒが形成され、該立ち上がり部１０ｒの上部に該立ち上がり部１０ｒに対して外側に９０度屈折した差し込み部１０ｊが一体的に形成されている。他の構成は図１に示す実施形態と同一である。
【００２０】
上記した構成において、各防水パネル１０の取付部１０ｋは、下地材６にビス１２により固定され、該防水バネル１０の差し込み受け部１０ｎに隣接する防水パネル１０の差し込み部１０ｊが挿入される。各防水パネル１０の取付部１０ｋのビス固定部の下側には、隣接する防水パネル１０の主平板部１０ａが配置される。
【図面の簡単な説明】
【００２１】
【図１】本発明に係る地下施設用天井構造を示す正面断面説明図である。
【図２】本発明の他の実施形態を示す要部の正面断面説明図である。
【符号の説明】
【００２２】
２      コンクリート天壁  
４      吊持体
６      下地材
８      天井板
１０    防水パネル
１０ａ  主平板
１０ｂ  立ち上がり部
１０ｃ  上位水平部
１０ｄ  垂下部
１０ｅ  差し込み口
１０ｆ  下位水平部
１０ｇ  差し込み受け部
１０ｈ  立ち上がり部
１０ｉ  傾斜部
１０ｊ  差し込み部
１０ｋ  取付部
１２    ビス
１４    突起
【図１】
2008274702.tif 000003
【図２】
2008274702.tif 000004